(57)【特許請求の範囲】
【請求項１】
紙を主体としたカップ状の容器本体と、
前記容器本体の開口部内に収容され、前記容器本体の底部側から前記開口部側に向かって先窄まりとなるホッパと、
前記ホッパと一体に設けられ、前記開口部の内径とほぼ同寸の外径を有して、前記容器本体の開口部に嵌め込まれるリングと、
前記ホッパから前記リングに至り、周方向に所定間隔をおいて設けられる複数のリブと、
前記容器本体の開口部を密封し、押し破ることで引き裂かれるシール状の蓋材とを備え、
前記リブの上面から前記ホッパの放出口上端までの高さ寸法が前記ホッパの放出口の直径の４分の１以上に設定され、
前記容器本体を逆さにし、蓋材を詰め替え容器の口部に押圧して押し破ることで内容物をホッパで中央部に集めながらこの詰め替え容器の口部から直接に注ぎ込めるようにしたことを特徴とする詰め替え用紙容器。
【請求項２】
ホッパにはその先窄まりの開口端に同一内径の筒部が設けられている請求項１に記載の詰め替え用紙容器。
【発明の詳細な説明】
【技術分野】
【０００１】
本発明は、粉体や粒体などの詰め替えに用いられるもので、紙を主体としたカップ状の容器本体、この容器本体の開口部に装着されたホッパ、開口部を密封するためのシール状の蓋材を備えている詰め替え用紙容器に関する。
【背景技術】
【０００２】
本発明の詰め替え用紙容器では、前記ホッパは、例えばインスタントコーヒー等の内容物の移し替えの便に供するように開口部側ほど先窄まりに形成され、合成樹脂素材、具体的には高密度ポリエチレン（ＨＤＰＥ）や容器本体と同じ紙などを素材にして成形されている。
【０００３】
ところで、従来このような詰め替え用の容器としては、合成樹脂製フィルムからなる包装袋が多く使用されている。例えばレトルト食品封入するパウチや上方に再封用のジッパー部を設けた自立性を有するガゼット袋などである。
【０００４】
一方、容器本体の開口部の内側にリングを備えた従来の構造としては、主として容器の強度を高めることを意図したものが存在している。具体的には、容器本体の胴部上端を外方へ張り出して形成したフランジ又はカール部の上面に前記リングのフランジを乗せつけ、容器本体のフランジ上面とリングのフランジ下面とを接合するようにしてある。また、このリングのフランジの上面にバリア性を備えるシート状の蓋材を貼着したり、キャップを被せて容器本体の開口部を密封したりしている。
【特許文献１】特開２００７―２９０３７３号公報
【特許文献２】特公昭６３―２４４６４号公報
【特許文献３】特開平０８−５８７６４号公報
【特許文献４】特開２００２−２６４９１８号公報
【発明の開示】
【発明が解決しようとする課題】
【０００５】
しかし、上記従来の構造は、インスタントコーヒーなどの内容物を詰め替える際、ガゼット袋や容器をあらかじめ開封しておく必要があると共に、詰め替えの際に内容物がこぼれ易いことから、詰め替え作業が非常に面倒であるという問題が生じていた。更には、詰め替える際、インスタントコーヒーなどの内容物が外気に触れてしまうために、内容物の持つ香りや風味が損なわれてしまったり、大気中の水分を吸収したりする問題も生じていた。特に前記パウチやガゼット袋では口をハサミなどで切ってから開封し、その後詰め替え容器にこのパウチやガゼット袋を倒立させて移し替えていたので、移し替えにはツーアクションを要する。更には、袋内に空気を入れて広げるなどしないと内容物がスムーズに移し替えられない問題もあった。
【０００６】
本発明は、このような問題を解決すべくなされたもので、種々検討の結果、詰め替え作業を容易かつ確実に行えると共に香りや風味が損なわれるおそれを少なくできることは言うまでもなく、特にワンアクションで移し替えができ、しかも移し替え用容器の自立性を上手く確保して安全に移し替えができるようにした詰め替え用紙容器を提供することを目的としている。
【課題を解決するための手段】
【０００７】
以上の技術的な課題を解決するために、本発明の詰め替え用紙容器は、紙を主体としたカップ状の容器本体と、容器本体の開口部内に収容され、容器本体の底部側から開口部側に向かって先窄まりとなるホッパと、ホッパと一体に設けられ、開口部の内径とほぼ同寸の外径を有して、容器本体の開口部に嵌め込まれるリングと、ホッパからリングに至り、周方向に所定間隔をおいて設けられる複数のリブと、容器本体の開口部を密封し、押し破ることで引き裂かれるシール状の蓋材とを備え、リブの上面からホッパの放出口上端までの高さ寸法がホッパの放出口の直径の４分の１以上に設定され、容器本体を逆さにし、蓋材を詰め替え容器の口部に押圧して押し破ることで内容物をホッパで中央部に集めながらこの詰め替え容器の口部から直接に注ぎ込めるようにしたことを特徴とする。
【０００８】
このように構成された詰め替え用紙容器では、例えばオーバーキャップなどの蓋材や内部を保護するための部材を取り外し、次いで図１並びに図９、１０に示すように、容器本体を逆さにし、ホッパを詰め替え容器の一例であるジャーの口部に内嵌合できる位置に宛がう。容器本体内のインスタントコーヒー等の粉体はホッパ内にも流下してきているが、蓋材によって保持されている。次いで、図２並びに図１１、１２に示すように、容器本体に、そのホッパをジャーの口部へ向かって押し込むように押圧力を負荷する。この押圧力は、ジャーの口部、一般的には本体から円筒状に立ち上がる筒上部分が蓋材を押し破るための力として働く。すなわち、このジャーの口部が蓋材を押し上げて、これをリングとホッパとの間の断面三角形上の空間内に押し込む力として機能する。この押圧力が付加された蓋材は、例えばこの蓋材に予め設けられた強度弱点部である放射状のミシン目やカット線に沿って複数の分割片に引き裂かれて分割される。同時にこのホッパはジャーの口部内に入り込む。その結果、前記ホッパの開口が開放され、容器本体内のインスタントコーヒー等の粉体が、ホッパによって、センターへと案内されつつ、一挙にジャー内へ案内流下される。
【０００９】
特に本発明では、ホッパの外側に周方向に所定間隔をおいて一体に設けられるリブの上端から前記ホッパの放出口上端までの高さ寸法を前記ホッパの放出口の直径のほぼ４分の１以上の長さ寸法、望ましくは２分の１までの範囲に設定して設けられている。つまりは、ホッパの放出口を、少なくとも容器本体の開口部からこのホッパの放出口の直径の少なくとも４分の１寸法まで押し込むことによって、引き裂かれた蓋材片をホッパの放出口上から横外方へ引退させることができる。また、周方向に少なくとも三つ設けられたリブが、詰め替え容器の口部上端縁に突き当たることで、詰め替え用容器は上手く支えられ、その押し込み姿勢が確保される。
【発明の効果】
【００１０】
したがって、この発明は以下の効果を奏する。
本発明の詰め替え用紙容器は、従来のスタンディングパウチ等と全く違って、容器本体を詰め替え容器の口部に押し付けて押圧することによって蓋材を押し破るようにしてあるので、簡単に容器本体と詰め替え容器とを直に連通させるものであるから、詰め替え作業を大変簡単な操作で、容易かつ確実に行うことができ、内容物を外気に触れさせるおそれも少なく、香りや風味も損なわれることも少ない。
【００１１】
特に本発明においては、引き裂かれた蓋材片がホッパの放出口上から横外方へ引退するに足る押し込み量をホッパの放出口の直径の少なくとも４分の１以上に設定してあるので、引き裂かれた蓋材片をホッパの放出口上から横外方へ的確に引退させることができ、スムーズな内容物の移し替えが可能になる。また、周方向に所定間隔をおいて設けられているリブが、詰め替え容器の口部上端縁に突き当たることで、詰め替え用容器は上手く支えられ、その押し込み姿勢が確保され、安定した、また、ワンアクションでの移し替えが可能になる。
【００１２】
以上の構成において、ホッパはその先窄まりの開口端に軸線方向に同一内径の筒部が一体に設けられるのが望ましい。
ホッパは傾斜壁が詰め替え容器の口部に当接して、その当接姿勢が時として不安定になる傾向があるのに比べて、ホッパに連なる筒部はストレートな筒状の案内ガイドとして詰め替え容器の口部内に確実に挿入できる。そのため、詰め替え容器の口部に対する粉体の案内並びに充填中の粉体の容器外への飛散、更には大気や湿気との接触を一層少なくでき、併せて芳香を失わせるおそれを一層少なくできるからである。特に、空気や水分の影響を受けやすい粉体に使用するのには一層有効である。
【００１３】
更に、ホッパは容器本体内方側の端縁に前記開口部の内径とほぼ同寸の外形を備えたリングが一体に設けられていて、このリングを開口部の内面に貼着することでホッパを装着できるようにするのが望ましい。
リングを熱融着や接着剤を用いて容器本体の開口部の内面に接着するなどして、ホッパをこの容器本体の開口部内に簡単に装着できるからである。
【発明を実施するための最良の形態】
【００１４】
以下、この発明の詰め替え用紙容器を、インスタントコーヒーの詰め替え用容器１に適用した場合の実施の形態について、図面に従って詳細に説明する。
【００１５】
尚、本発明は、基本的には、ホッパを備えたパーツが開口部に接合されて、内容物の詰め替えを効率的に行うことができる態様のもの全般に適用できる。したがって、以下の実施例に記載の例に限定されるものでないことは改めて言うまでもない。
【００１６】
先ず、詰め替え用容器１は、図４、５に示すように、容器本体２、漏斗の一例としてのホッパ３、バリア性を有するシート状の蓋材４、オーバーキャップ５からなる。
【００１７】
容器本体２は有底の円筒形で、基材には矩形の紙片が用いられる。この紙製の円筒はその外側から順に、紙層、アルミニウム箔層、ポリエチレンテレフタレート層、更に低密度ポリエチレン層が積層されて、高いガスバリア性（酸素、水蒸気、内容物由来揮発成分）を備えた複合材が採用される。積層手段は公知の技術が採用される。例えば、ラミネートや塗着などの一般的な手法である。容器本体２を作成するには、前記のような高いガスバリア性を備えた矩形の紙片を筒状に丸め、左右両サイドを重合させ、この重合部を糊代として適宜に接合される。接合手段は、接着剤を使用したり、熱融着させたり、適宜公知の手段が採用される。そして、上端は、図４、５に示すように、外方に向かって環状に巻込んでカール部６が一体に形成されている。
【００１８】
この容器本体２の開口部２Ａ内には、図４〜６に示すように、ホッパ３、つまり前記容器本体２の開口部２Ａ側ほど先窄まりにした漏斗（以下単にホッパと言う）が嵌め込まれている。具体的には、このホッパ３は前記容器本体２と同一の素材或いは厚みを０．８ｍｍに設定された高密度ポリエチレン（ＨＤＰＥ）、ポリプロピレンなど適宜の樹脂素材で形成されている。このホッパ３は周囲にリングとしての立ち上がり壁３Ａ（以下単にリングという）を備える。このリング３Ａは、その上端に外側に張り出すフランジ３Ｂを一体に備えていて、その下面が容器本体２の開口部２Ａの上端、つまりカール部６の上端面６Ａ上に載置されて、適宜に接合されてこの開口部２Ａ内に嵌め込まれている。また、前記ホッパ３はこのリング３Ａの下端縁から一体に、上方かつ中央に向かって順次傾斜した壁で形成される。そしてこのホッパ３のテーパ角は、内容物にもよるが少なくとも１〜７０°更に好ましくは１０〜３０°に設定される。但し、テーパ角が鋭角になればなる程ホッパ３の高さ（長さ）が必要となると共に、ホッパ３を形成する樹脂量も多くなり、コスト面も踏まえて適宜設定されるものである。また、ホッパ３の上端、つまり開口３Ｃは前記フランジ３Ｂの上端面とほぼ同じ高さ位置、即ちほぼ同一平面上に配置されるように設計されている。尚、接合の手段は熱融着、高周波溶着、接着剤使用など、適宜最も好ましい手段が採用される。
尚、図中６Ｂはカール部６に生じる段差であるが、前記シート状の蓋材４の最内層に形成されているシーラント層７（後述）によって上手く封止される。
【００１９】
前記ホッパ３の上端にはバリア性を有する前記蓋材４が密封されている。
このバリア性を有する蓋材４は、図７に示すように、最内層７はポリエチレンのシーラント層、このシーラント層７の外側にポリエチレンテレフタレート層８、その外側に接着剤層９を介して金属箔層１０が貼着された高いガスバリア性を備えた複合シートが採用され、更に前記最内層のシーラント層７には、図８に示すように、その中央から放射状に複数本の強度弱点部１１が設けられていて、この強度弱点部１１によって前記シーラント層７を含み金属箔層１０も容易に引き裂かれて、開封し易くしてある。
【００２０】
また、蓋材４の全体形状は、図４、５、８示すように、前記容器本体２の開口部２Ａとほぼ同径、具体的には約９０ｍｍφの円形を呈し、その周縁部４Ａが前記ホッパ３のフランジ３Ｂの上面に適宜に貼着される。一般的には熱融着手段が採用される。但し、この場合、このホッパ３の上端縁、つまり開口３Ｃの上縁に対しては、単に接触するのみとしてある。このホッパ３の開口３Ｃの開放を迅速で、且つ、容易にするためである。
【００２１】
更に、このバリア性を有する蓋材４には、図１、４、５に示すように、中央から放射状に複数本の前記強度弱点部１１としてのミシン目又はカット線（図例ではミシン目）が最内層のシーラント層７並びに前記ポリエチレンテレフタレート層８に達するようにして設けられている。この強度弱点部１１であるミシン目又はカット線によって前記最内層のシーラント層７を含み金属箔層１０も容易に破れて、開封し易くしてある。ミシン目又はカット線は、図２に示すように、中央で互いに交差する３本の直線状で、ミシン目の長さは９ｍｍ、つなぎは１ｍｍに設定されている。尚、３本という本数は、本発明の所期の目的を達成するための最低限の本数である。また、蓋材４の大きさにもよるが、望ましい上限は１０本である。１０本以上であると逆にこの蓋材４の強度を弱めるおそれが生じ、好ましくない。理想的には３〜８本（８本の例を図１７に示す）である。
【００２２】
オーバーキャップ５は、前記保容器本体２と同一の素材或いは厚みを０．８ｍｍ程度に設定された高密度ポリエチレン（ＨＤＰＥ）、ポリプロピレンなど適宜の樹脂が採用され、図１〜３に示すように、前記容器本体２の開口部２Ａに外嵌合し、前記蓋材４を保護し、併せて内部を衛生的に保つように働く。特に周縁の垂下壁５Ａの下端部にはアンダーカット５Ｂを備えている。このアンダーカット５Ｂは容器本体２のカール部６に下面に弾性的に係合されて嵌着状態を維持する。
【００２３】
この発明による前記詰め替え用容器１の器内部に粉状のインスタントコーヒーＰを収容する作業は、一般に、ホッパ３の開口３Ｃ１を介して行われる。
【００２４】
基本的に以上のような構造を備えた詰め替え用容器１において、特に本発明では、図１〜３に示すように、前記ホッパ３の周囲に、周方向に所定の間隔（図例では９０度）をおいて、このホッパ３からリング３Ａに至るリブ１２が４本設けられている。図例では４本であるが、少なくとも三本以上で、多くて８本程度までが望ましい。また、その肉厚はこのホッパ３やリング３Ａと同等の０．８ｍｍ程で、必要に応じてこの数値よりも薄めにすることができる。また素材も前記容器本体２と同一の素材或いは厚みを０．８ｍｍに設定された高密度ポリエチレン（ＨＤＰＥ）、ポリプロピレンなど適宜の樹脂素材が採用される。ホッパ３やリング３Ａと一体成形であるから必然である。そして、このリブ１２の上端からホッパ３の開口３Ｃ上端縁までの高さ寸法Ｈがこのホッパ３の開口３Ｃの直径φの２分の１の長さ寸法に設定されている。
【００２５】
ここに言う、リブ１２の上端からホッパ３の開口３Ｃ上端縁までの高さ寸法Ｈをこのホッパ３の開口３Ｃの直径φの２分の１の長さ寸法に設定した理由は以下の通りである。
すなわち、図２、１３に示されるように、容器本体２を詰め替え容器の一例であるジャー１６の円筒状の口部１６Ａに内嵌合出来る位置に宛がってこれを押し込むと、蓋材４はミシン目１１で引き裂かれながら、この口部１５Ａの上端で蓋材４がホッパ３とリング３Ａとの間の断面三角形上の空間Ｓ内に押し込まれ、蓋材４の引き裂かれた端は、順次このホッパ３の開口３Ｃの外周縁側へ後退してゆく。この後退する寸法は必然的に、蓋材４の前記断面三角形上の空間Ｓ内に押し込まれる量によって決定される。つまり、図１、２に示すように、蓋材４が所期の密封姿勢にあるときの容器本体２の開口部２Ａからホッパ３の開口３Ｃの縁までの直線的な部分Ａをどれほど前記断面三角形上の空間Ｓ内に押し込めば良いかによる。その押し込み量は、押し込み終了段階における前記蓋材４の容器本体２の開口部内縁からジャー１６の口部１６Ａの先端までの寸法Ｂとこの口部１６Ａの先端からホッパ３の開口３Ｃの縁までの寸法Ｃのそれぞれの二乗を足した数値から、前記直線的な部分Ａの二乗を引いた数値で決定される。検討の結果、押し込み量、つまりはリブ１２の上端からホッパ３の開口３Ｃ上端縁までの高さ寸法Ｈは前記ホッパ３の開口３Ｃの直径φの２分の一であった。蓋材４は引き裂かれた後、各引き裂かれ片４Ｂはこのホッパ３の開口３Ｃの中心から放射方向へ順次後退してゆくので、前記ホッパ３の開口３Ｃを完全に開放するにはこのホッパ３の開口３Ｃの直径φの２分の一は必然である。しかし、好ましい範囲としては４分の１までが限度で、これを下回ると蓋材４がミシン目やカット線などの強度弱点部１１が存在しても蓋材４を上手く引き裂くことができず、前記ホッパ３の開口３Ｃの開口量が少なくなる。その結果、内容物のジャー１６側への流下が阻害されスムーズな充填作業が行えなくなる。逆に２分の一を超えるとホッパ３そのものの丈が大きくなり過ぎで、必要以上の素材を要し、無駄であり、また、詰め替え用容器も大型になり、望ましくない。
【００２６】
前記リブ１２を周方向定間隔で少なくとも３本以上設ける理由は、インスタントコーヒーＰを詰め替え容器１２（後述）へ移し替える際に詰め替え用容器１をこの周方向定間隔で設けられた３本のリブ１２で安定良く支えることができ、この詰め替え用容器１を移し替えの最中にこれを手で保持し続ける必要がなく、一層スムーズな移し替えを、正にワンタッチで行えることができるからである。
但し、特にこれに限定されるものではなく、例えばリブ１２の代替品として、ドーナツ型の円板を所定の高さ位置、つまり前記開口３Ｃの直径φの２分の１の長さ寸法位置で、前記ホッパ３とリング３Ａとの間の断面三角形上の空間Ｓ内に設ける構成も採用できる。移し替えの際の詰め替え用容器１の姿勢安定性が格段に改善され、必然的にワンタッチの詰め替え作業も格段に改善される。
【００２７】
次に、このように構成された詰め替え用容器１の使用の仕方について説明する。
先ず、オーバーキャップ５を取り外し、次いで図１並びに図９、１０に示すように、容器本体２を逆さにし、ホッパ３を補充用の容器の一例であるジャー１３の円筒状の口部１３Ａに内嵌合出来る位置に宛がう。容器本体２内のインスタントコーヒーＰはホッパ３内に流下してきているが、蓋材４によって保持されている。次いで、図２並びに図１１、１２に示すように、容器本体２に、そのホッパ３をジャー１３の口部１３Ａへ向かって押し込むように押圧力を負荷する。この押圧力は、ジャー１３の口部１３Ａ、一般的には本体から円筒状に立ち上がる筒上部分が蓋材４を押し破るための力として働く。すなわち、このジャー１３の口部１３Ａが蓋材４を押し上げて、これをホッパ３とリング３Ａとの間の断面三角形状の空間Ｓ内に押し込む力として機能する。この押圧力が付加された蓋材４は、強度弱点部１１であるミシン目が放射状に設けられているために、たちまちの内に極めて容易にこのミシン目に沿って複数の分割片、つまり引き裂かれ片４Ｂに破断分割される。同時にこのホッパ３はジャー１３の口部１３Ａ内に入り込む。その結果、前記ホッパ３の開口３Ｃが開放され、容器本体２内のインスタントコーヒーＰが、ホッパ３によって、センターへと案内されつつ、一挙にジャー１３内へ案内流下される。ジャー１３へ補充を終えたこの詰め替え用容器１は廃棄される。尚、図中２Ｂは容器本体２の底部である。
【００２８】
容器本体２内のインスタントコーヒーＰは開封されるまでは、この蓋材４によって完全に密閉され、大気と接触することがないので、この詰め替え用容器１内の気密を高度に保つ。また、ジャー１３の口部１３Ａに内嵌合されたホッパ３はインスタントコーヒーＰをジャー１３の外部へ零れ落とすこともなく、また、外気に必要以上触れさせるおそれも少ないので、香りや風味が損なわれるおそれも可及的に少なくできるようになった。
【００２９】
そして、重要な点は、詰め替え用容器１の押し込み量、つまりはリブ１２の上端からホッパ３の開口３Ｃ上端縁までの高さ寸法Ｈをホッパ３の開口径φの４分の１〜２分の１の範囲に定めたことから、蓋材４の引き裂かれ片４Ｂは確実にこのホッパ３の開口３Ｃからその外周縁に後退して開口３Ｃを確実に開放できる。したがって、詰め替え用容器１からジャー１３への内容物の移し替えがスムーズに行える。また、このリブの存在によって、詰め替え用容器１の倒立姿勢が正しく保たれて転倒するおそれも少ないので、従来のパウチやガゼット袋と違って、ワンアクションで詰め替え作業を行え、大変便利な詰め替え用容器を提供できる。
【００３０】
また、詰め替えが行われるまでは、前記ホッパ３の開口３Ｃの口縁は蓋材４が密着している。更にその上のオーバーキャップ５の押圧力によって、一層しっかりと密着している。その結果、このホッパ３の開口３Ｃと蓋材４との間に無用な隙間が生じ難く、仮に生じても僅かであり、容器本体２内のインスタントコーヒーＰがホッパ３の外方へ回り込むおそれを上手く防止できる。その結果、詰め替えの際に、この回り込んだインスタントコーヒーＰによってジャー１３の口部１３Ａや周辺を不用意に汚してしまうおそれも少なくなり、衛生的に用いることができる。併せて、ホッパ３はフランジ３Ｂによって容器本体２に対して常に一定の位置に取り付けられるので、安定した取り付け状態を確保でき、的確な充填作業を可能にすると共に、インスタントコーヒーＰの前記の回り込みを一層的確に防止できる。
【００３１】
また、容器本体２の開口部２Ａのカール部６は開口部２Ａの強度を高めて変形を少なくできるので、ホッパ３の設置位置が所期通り正しく保たれてホッパ３をしっかりと保持し、ホッパ３Ｃの開口３Ｃと蓋材４の隙間を一層生じ難くできる。
【００３２】
出来上がった蓋材４の性能試験を行った結果、中央部分が上手く押し破られた。因みに押し破り強度は１００Ｎ以下であった。尚、紙カップを用いた開口部２Ａの段差６Ｂ（図１参照）における浸透液のチェック試験では、漏れの発生が全く見られなかった。更に、高温保存時にも蓋材４が紙カップの開口部２Ａから剥離する例は見られなかった。また、蓋材４全体のバリア性はアルミ蓋材と遜色なく好ましい結果を得た。ホットメルト蓋材と比較して臭気の発生は全くなかった。
【００３３】
以上に説明した実施形態にあって、以下に説明するような、部分的に異なる構成にした構造も採用できる。
【００３４】
具体的には、図１３、１４に示すように、開口部２Ａにカール部６を備えない容器本体２に適用するケースである。
この構成では、前記ホッパ３のフランジ３Ｂの張り出し寸法は、カール部６を備えた容器本体２に適用する場合と同じにしておく。オーバーキャップ５の垂下壁５Ａの垂下寸法をカール部６の上下寸法分短くすることで、アンダーカット５Ｂがフランジ３Ｂの下面に弾性的に係合されるようにしてある。
その他の構成は、前記実施の形態と同様である。
【００３５】
また、別の構成として、図１５に示すように、前記ホッパー３の開口３Ｃの開口縁から上方に一体に筒部としての、筒状望ましくは上端まで同じ径の円筒形のガイド３Ｄを設けることもできる。この筒状のガイド３Ｄの上端と前記フランジ３Ｂの高さレベルは同じに形成されることは言うまでもない。この実施形態における前記押し込み量、つまりはリブ１２の上端の高さ位置を求める基準となる前記ホッパ３の開口３Ｃの開口径φは必然的に前記このガイド３Ｄの放出口の開口径φである。
その他の構成は、前記実施の形態と同様である。
【００３６】
このガイド３Ｄは、ジャー１３の口部１３Ａに的確に挿入されるのに役立つ。テーパーのみを備えたホッパ３ではこのジャー１３の口部１３Ａへの開口３Ｃ１の当り位置がややもすればずれ易く、インスタントコーヒーＰをジャー１３の外へ不用意に零してしまう傾向があるが、筒状のガイド３Ｄであれば、このガイド３Ｄを口部１３Ａからジャー１３の内側にまで入り込ませることができるので、インスタントコーヒーＰをジャー１３の外へ不用意に零してしまうおそれがなくなる。
【００３７】
更に、別の構成として、図１６に示すように、リング３Ａの上端にフランジ３Ｂを備えないタイプのホッパ３を形成した。この場合、リング３Ａの上端が容器本体２の前記カール部６の上面と同じ高さレベルにあることが肝要である。これを超えて更に上方へ突出すると、蓋材４による望ましい容器本体２の前記開口部２Ａの密封が望めなくなるからである。この実施形態では、前記リング３Ａの上端にフランジ３Ｂを設けないために、このフランジ３Ｂを介して容器本体２内の雰囲気が外気に晒されるおそれがなくなり、品質の劣化などを未然に防止できる上で好ましい。
その他の構成は、前記実施の形態と同様である。
【００３８】
また、以上の各実施形態では内容物としてインスタンの粉コーヒーを対象としているが、その他にも食品、非食品の他の分流体に適用できる。例えば、水溶性のミルク（粉ミルク）、ココア、茶、又はこれらを適宜に組み合わせた粉など。更には、乾燥マッシュポテトや他の乾燥食品、ソースまたはグレービー粉、スープ粉などの他に複写機のトナーなどである。
【００３９】
また、ジャー１３に替わるものとして、コーヒー作成装置のコーヒー粉タンク、更には複写機のトナー補充容器などにも適用できる。
【００４０】
（実施例）
まず、ラミネート加工法によって、容器本体用として、〔容器外側〕紙層（坪量３００ｇ／ｍ2 ）／接着剤層／アルミニウム箔層（７．０μｍ）／ポリエチレンテレフタレート層（１２μｍ）／接着剤層／低密度ポリエチレン層（５０μｍ）〔容器内側〕構成の積層材料を作製した。また、ボトム部材として、〔容器外側〕低密度ポリエチレン層（２０μｍ）／紙層（坪量２３０ｇ／ｍ2 ）／低密度ポリエチレン層（２０μｍ）／アルミニウム箔層（７．０μｍ）／接着剤層／ポリエチレンテレフタレート層（１２μｍ）／接着剤層／低密度ポリエチレン層（５０μｍ）〔容器内側〕構成の積層材料を作製した。これらの積層材料を用い、ＰＭＣ社製カップ成形機で、胴部上端の外周にカール部をもつカップ状容器本体を作製した。次に、高密度ポリエチレン（三井化学  ２１００Ｋ）を用いて射出成形により、リング３Ａ、フランジ３Ｂ、そしてホッパ３Ｃを備えたホッパ３を作製した。リング３Ａ、フランジ３Ｂ並びにホッパ３Ｃ、そしてリブ１２は共にほぼ０．８ｍｍ厚となるよう成形した。更に、〔上側〕金属箔層１０としてのアルミニウム箔層（１５μｍ）／接着剤層９／ポリエチレンテレフタレート層（１２μｍ）８／シーラント層７としての低密度ポリエチレン層（４０μｍ）〔下側〕からなる積層材料を作製し、この積層材料を用いて蓋材を作製した。
【００４１】
次に、上述のカップ状容器本体をアンビルに挿着して、胴部上端のカール部を下側から支えると共に胴部を固定し、胴部上端内側の開口部に、ホッパーを挿入して挿着し、溶着機を用い、開口部の内面にリングの外面を接合した。
【００４２】
次いで、前記パーツの漏斗の開口を介してインスタントコーヒーを容器本体に充填した。最後に、前記カール部の上面に、ヒートシール法で前述の蓋材を熱融着して容器上端側を密封し、更にこの蓋材の上からオーバーキッャプを嵌着することでパーツ付紙容器を作製した。
【００４３】
また、カール部を備えない容器本体を上記の手法、手段で作製した。
【００４４】
更に、ホッパーとして筒状のガイドを一体に備えたものを上記の手法、手段で作製した。
【００４５】
更に、リング３Ａの上端にフランジ３Ｂを備えないタイプのホッパ３を上記の手法、手段で作製した。
【００４６】
得られた製品は何れも、従来のスタンディングパウチ等と全く違って、詰め替え作業を大変簡単な操作で、容易かつ確実に行うことができ、インスタントコーヒーＰを外気に触れさせるおそれも少なく、香りや風味が保たれていることが判明した。
また、リブ１２はその上端（倒立状態では下端になる）でジャー１３の口部１３Ａの上端にしっかりと詰め替え用容器１を支持するように機能し、詰め替え作業中、手を離しても倒れたりすることなく所期の倒立姿勢を上手く保てることが分かった。また、蓋材４もその押し込み量が前記の通りの４分の１〜２分の１のいずれの範囲であっても、ミシン目１１に沿った所期どおりの望ましい引き裂きが行われ、上手くホッパ３の開口３Ｃを開放し、インスタントコーヒーＰがスムーズにジャー１３内へ充填できることが分かった。
【図面の簡単な説明】
【００４７】
【図１】本発明の詰め替え用紙容器の一実施形態を示し、ジャーへ内容物を補充する前の蓋材と容器とジャーの関係を特徴的に示す要部の断面図である。
【図２】図１に示される本発明の特徴点を表し、蓋材が引き裂かれる状態のこの蓋材と容器とジャーの関係を特徴的に示す要部の断面図である。
【図３】図２に示される特徴点をジャー側から見た底面図である。
【図４】本発明の詰め替え用紙容器の一実施形態を示し、容器の一部を取り出して拡大表示した拡大図を含む全体分解斜視図である。
【図５】図４の容器が閉まっているときのこの容器の一端の断面図である。
【図６】図５に示される断面図の要部の拡大図である。
【図７】図８中Ａ−Ａ線に沿った蓋材の断面図である。
【図８】図１に示される蓋材の底面図である。
【図９】図１のバリア性を有する蓋材の作用の説明図で、ジャーへ内容物を補充する前の蓋材と容器とジャーの関係を示す斜視図である。
【図１０】図９に示される作用の説明図で、要部の断面図である。
【図１１】図１のバリア性を有する蓋材の作用の説明図で、ジャーへ内容物を補充する途中の蓋材と容器とジャーの関係を示す斜視図である。
【図１２】図１１に示される作用の説明図で、要部の断面図である。
【図１３】カール部を備えない容器本体に適用した別の実施形態を示す要部の拡大断面図である。
【図１４】図１３に示される断面図の要部の拡大図である。
【図１５】筒状のガイドを供えたホッパを用いた別の実施形態を示す要部の拡大断面図である。
【図１６】リングにフランジを備えない図１５に対応した更に別の実施形態を示す要部の拡大断面図である。
【図１７】強度弱点部を８本にした場合の図８に対応する蓋の底面である。
【符号の説明】
【００４８】
１…詰め替え用容器
２…容器本体
２Ａ…開口部
３…ホッパ
３Ａ…リング
３Ｂ…フランジ
３Ｃ…開口
３Ｄ…ガイド
４…蓋材
５…オーバーキャップ
５Ｂ…アンダーカット
６…カール部
６Ａ…上端面
７…シーラント層
８…接着剤層
９…接着層
１０…金属箔層
１２…リブ
１３…ジャー
【図１】
0004885905.tif 000002
【図２】
0004885905.tif 000003
【図３】
0004885905.tif 000004
【図４】
0004885905.tif 000005
【図５】
0004885905.tif 000006
【図６】
0004885905.tif 000007
【図７】
0004885905.tif 000008
【図８】
0004885905.tif 000009
【図９】
0004885905.tif 000010
【図１０】
0004885905.tif 000011
【図１１】
0004885905.tif 000012
【図１２】
0004885905.tif 000013
【図１３】
0004885905.tif 000014
【図１４】
0004885905.tif 000015
【図１５】
0004885905.tif 000016
【図１６】
0004885905.tif 000017
【図１７】
0004885905.tif 000018